(57)【要約】【課題】音源からの音声データの再生中にも、音源からの音声以外の外音を聴き取り易くすることが可能な制御装置を提供する。【解決手段】この制御装置１は、再生装置２と通信する通信部１３と、通信部１３を介して、音源からの音源データを再生装置２により出力させる制御を行う制御部１５と、を備える。そして、制御部１５は、音源データ以外の外音データが取得された場合には、再生装置２を指定して、指定された再生装置２により音源データと外音データとをミキシングして再生させるための制御コマンドを再生装置２に送信する制御を行うように構成されている。【選択図】図４
2017005377.tif 000002
【特許請求の範囲】
【請求項１】
再生装置と通信する通信部と、
前記通信部を介して、音源からの音源データを前記再生装置により再生させる制御を行う制御部と、を備え、
前記制御部は、前記音源データ以外の外音データが取得された場合には、前記再生装置を指定して、指定された前記再生装置により前記音源データと前記外音データとをミキシングして再生させるための所定のデータを前記再生装置に送信する制御を行うように構成されている、制御装置。
【請求項２】
前記制御部は、複数の前記再生装置のうち、前記音源データと前記外音データとをミキシングして再生させる前記再生装置として、一部または全部の前記再生装置を指定可能であるとともに、指定された前記再生装置により前記音源データと前記外音データとをミキシングして再生させるための前記所定のデータを前記再生装置に送信する制御を行うように構成されている、請求項１に記載の制御装置。
【請求項３】
前記制御部は、前記音源データの音量と、前記外音データの音量とを指定するとともに、指定された音量で、前記再生装置により前記音源データと前記外音データとをミキシングして再生させるための前記所定のデータを前記再生装置に送信する制御を行うように構成されている、請求項１または２に記載の制御装置。
【請求項４】
前記制御部は、複数の前記再生装置に対して、前記所定のデータをマルチキャストで送信するように構成されている、請求項１〜３のいずれか１項に記載の制御装置。
【請求項５】
ユーザの音声を入力可能な音声入力部をさらに備え、
前記制御部は、前記音声入力部に入力された前記ユーザの音声に対応する音声データを、前記外音データとして取得するように構成されている、請求項１〜４のいずれか１項に記載の制御装置。
【請求項６】
前記外音データは、着信の際の着信音に対応する音声データを含む、請求項１〜５のいずれか１項に記載の制御装置。
【請求項７】
制御装置と通信する通信部と、
音源からの音源データの音声を出力するスピーカ部と、
前記制御装置からの前記音源データと前記音源データ以外の外音データとをミキシングして再生させるための所定のデータに基づいて、前記音源からの前記音源データと、前記制御装置からの前記外音データとをミキシングするミキシング部と、を備える、再生装置。
【請求項８】
再生装置と制御装置の通信部により通信するステップと、
前記制御装置の前記通信部を介して、音源からの音源データを前記再生装置により再生させる制御を前記制御装置の制御部により行うステップと、
前記音源データ以外の外音データが取得された場合には、前記再生装置を指定して、指定された前記再生装置により前記音源データと前記外音データとをミキシングして再生させるための所定のデータを前記再生装置に送信する制御を前記制御装置の前記制御部により行うステップと、を備える、再生方法。
【発明の詳細な説明】
【技術分野】
【０００１】
この発明は、制御装置、再生装置および再生方法に関する。
【背景技術】
【０００２】
従来、音声データを再生する再生システムが知られている（たとえば、特許文献１参照）。
【０００３】
上記特許文献１には、居間、書斎および寝室にそれぞれ設置された３つの再生装置と、これら３つの再生装置とＬＡＮを介して接続されたコンテンツサーバとを備えるコンテンツ再生システムが開示されている。このコンテンツ再生システムでは、コンテンツサーバは、再生装置に対して音楽などの音声データを送信し、再生させるように構成されている。
【先行技術文献】
【特許文献】
【０００４】
【特許文献１】特開２００５−１００２００号公報
【発明の概要】
【発明が解決しようとする課題】
【０００５】
しかしながら、上記特許文献１に記載のコンテンツ再生システムでは、居間、書斎および寝室の各部屋で音声データを再生し、音楽などを鑑賞可能である一方、音声データの再生中には、電話の着信音や家族からの呼びかけの声など、再生装置から出力される音声（音源からの音声）以外の外部からの音（外音）が聴こえ難くなるという問題点がある。
【０００６】
この発明は、上記のような課題を解決するためになされたものであり、この発明の１つの目的は、音源からの音声データの再生中にも、音源からの音声以外の外音を聴き取り易くすることが可能な制御装置、再生装置および再生方法を提供することである。
【課題を解決するための手段】
【０００７】
この発明の第１の局面による制御装置は、再生装置と通信する通信部と、通信部を介して、音源からの音源データを再生装置により再生させる制御を行う制御部と、を備え、制御部は、音源データ以外の外音データが取得された場合には、再生装置を指定して、指定された再生装置により音源データと外音データとをミキシングして再生させるための所定のデータを再生装置に送信する制御を行うように構成されている。
【０００８】
この発明の第１の局面による制御装置では、上記のように、音源データ以外の外音データが取得された場合には、再生装置を指定して、指定された再生装置により音源データと外音データとをミキシングして再生させるための所定のデータを再生装置に送信する制御を行うように制御部を構成する。これにより、音源装置からの音源データに加えて、外部からの音に対応する外音データを再生装置により再生させることができる。その結果、再生装置から外音を出力させることができるので、音源からの音声データの再生中にも、音源からの音声以外の外音を聴き取り易くすることができる。
【０００９】
上記第１の局面による制御装置において、好ましくは、制御部は、複数の再生装置のうち、音源データと外音データとをミキシングして再生させる再生装置として、一部または全部の再生装置を指定可能であるとともに、指定された再生装置により音源データと外音データとをミキシングして再生させるための所定のデータを再生装置に送信する制御を行うように構成されている。このように構成すれば、制御装置を使用するユーザが一部の再生装置から外音の出力を所望する場合には、一部の再生装置から外音を出力させることができるとともに、制御装置を使用するユーザが全部の再生装置から外音の出力を所望する場合には、全部の再生装置から外音を出力させることができる。その結果、再生装置を使用するユーザの状況に応じて、任意の再生装置から外音を出力させることができる。
【００１０】
上記第１の局面による制御装置において、好ましくは、制御部は、音源データの音量と、外音データの音量とを指定するとともに、指定された音量で、再生装置により音源データと外音データとをミキシングして再生させるための所定のデータを再生装置に送信する制御を行うように構成されている。このように構成すれば、音源データの音量よりも、外音データの音量が大きくなるように指定した場合に、音源からの音声の再生中に、音源からの音声以外の外音をより聴き取り易くすることができる。
【００１１】
上記第１の局面による制御装置において、好ましくは、制御部は、複数の再生装置に対して、所定のデータをマルチキャストで送信するように構成されている。ここで、マルチキャストとは、複数の再生装置に対して同時に同じデータ（１つのデータ）を送信することを意味する。つまり、上記のように構成すれば、複数の再生装置に対して所定のデータを個別に複数分送信する場合と比べて、所定のデータの送信に係る通信が混雑するのを抑制することができる。
【００１２】
上記第１の局面による制御装置において、好ましくは、ユーザの音声を入力可能な音声入力部をさらに備え、制御部は、音声入力部に入力されたユーザの音声に対応する音声データを、外音データとして取得するように構成されている。このように構成すれば、ユーザが任意のメッセージ（ユーザの音声）を音声入力部に入力することができる。その結果、再生装置を使用するユーザの状況に合わせて、適切なメッセージを再生装置から出力させることができる。
【００１３】
上記第１の局面による制御装置において、好ましくは、外音データは、着信の際の着信音に対応する音声データを含む。このように構成すれば、制御装置に電話やメールなどの着信がある場合に、音源データの音声に加えて、着信音を再生装置から出力させることができる。その結果、電話やメールなどの着信をユーザに容易に気付かせることができる。
【００１４】
この発明の第２の局面による再生装置は、制御装置と通信する通信部と、音源からの音源データの音声を出力するスピーカ部と、制御装置からの音源データと音源データ以外の外音データとをミキシングして再生させるための所定のデータに基づいて、音源からの音源データと、制御装置からの外音データとをミキシングするミキシング部と、を備える。
【００１５】
この発明の第２の局面による再生装置では、上記のように、制御装置からの音源データと音源データ以外の外音データとをミキシングして再生させるための所定のデータに基づいて、音源からの音源データと、制御装置からの外音データとをミキシングするミキシング部を設ける。これにより、上記第１の局面による制御装置の場合と同様に、音源からの音声データの再生中にも、音源からの音声以外の外音を聴き取り易くすることができる。
【００１６】
この発明の第３の局面による再生方法は、再生装置と制御装置の通信部により通信するステップと、制御装置の通信部を介して、音源からの音源データを再生装置により再生させる制御を制御装置の制御部により行うステップと、音源データ以外の外音データが取得された場合には、再生装置を指定して、指定された再生装置により音源データと外音データとをミキシングして再生させるための所定のデータを再生装置に送信する制御を制御装置の制御部により行うステップと、を備える。
【００１７】
この発明の第３の局面による再生方法では、音源データ以外の外音データが取得された場合には、再生装置を指定して、指定された再生装置により音源データと外音データとをミキシングして再生させるための所定のデータを再生装置に送信する制御を制御装置の制御部により行うステップを設ける。これにより、上記第１実施形態の制御装置の場合と同様に、音源からの音声データの再生中にも、音源からの音声以外の外音を聴き取り易くすることができる。
【発明の効果】
【００１８】
本発明によれば、上記のように、音源からの音声データの再生中にも、音源からの音声以外の外音を聴き取り易くすることが可能な制御装置、再生装置および再生方法を提供することができる。
【図面の簡単な説明】
【００１９】
【図１】本発明の第１および第２実施形態による再生システムの全体構成を示すブロック図である。
【図２】本発明の第１実施形態による再生システムの再生装置の配置を説明するための図である。
【図３】本発明の第１実施形態による再生システムにおいて音源装置からの音声データ（音源データ）を再生する場合を説明するための図である。
【図４】本発明の第１実施形態による再生システムにおいて音源装置からの音声データ（音源データ）とユーザの音声に対応する音声データ（外音データ）とをミキシングして再生する場合の一例を説明するための図である。
【図５】本発明の第１実施形態による再生システムのミキシング再生処理の設定を行うための設定画面を説明するための図である。
【図６】本発明の第１実施形態による再生システムの制御装置から再生装置に対して送信される制御コマンドを説明するための図である。
【図７】本発明の第１実施形態による再生システムの制御コマンド中の識別子を説明するための図である。
【図８】本発明の第１実施形態による再生システムにおいて音源装置からの音声データ（音源データ）とユーザの音声に対応する音声データ（外音データ）とをミキシングして再生する場合の他の例を説明するための図である。
【図９】本発明の第１実施形態による再生システムにおいて音源装置からの音声データ（音源データ）とユーザの音声に対応する音声データ（外音データ）とをミキシングして再生する場合のさらなる他の例を説明するための図である。
【図１０】本発明の第１実施形態による再生システムのミキシング再生処理を説明するためのシーケンス図である。
【図１１】本発明の第２実施形態による再生システムにおいて音源装置からの音声データ（音源データ）と着信音に対応する音声データ（外音データ）とをミキシングして再生する場合を説明するための図である。
【図１２】本発明の第３実施形態による再生システムの全体構成を示すブロック図である。
【図１３】本発明の第３実施形態による再生システムのミキシング再生処理を説明するためのシーケンス図である。
【発明を実施するための形態】
【００２０】
以下、本発明を具体化した実施形態を図面に基づいて説明する。
【００２１】
[第１実施形態]
（再生システムの構成）
まず、図１を参照して、本発明の第１実施形態による再生システム１００の構成について説明する。
【００２２】
本発明の第１実施形態による再生システム１００は、図１に示すように、制御装置１と、複数（６つ）の再生装置２（２ａ〜２ｆ）と、無線ルータ３と、を備えている。制御装置１は、スマートフォン（多機能携帯電話）や、タブレットＰＣなどの携帯端末であり、再生装置２を制御して、再生装置２により音楽などの音声データを再生させるように構成されている。再生装置２は、スピーカ装置であり、制御装置１からの後述する制御コマンドなどに基づいて、音声データを再生し、音声を外部に出力するように構成されている。なお、制御コマンドは、本発明の「所定のデータ」の一例である。
【００２３】
再生システム１００では、制御装置１および複数（６つ）の再生装置２は、制御装置１および複数（６つ）の再生装置２を含むローカルエリアネットワーク上で、無線ルータ３を介して、互いに無線で接続されている。これにより、制御装置１および複数（６つ）の再生装置２は、ネットワーク内で、互いに無線通信可能に構成されている。
【００２４】
（制御装置の構成）
制御装置１は、記憶部１１と、表示部１２と、通信部１３と、音声入力部１４、制御部１５とを含んでいる。
【００２５】
記憶部１１は、ＲＯＭやＲＡＭなどのメモリを含み、制御装置１を動作させるためのプログラムなどが記憶されるように構成されている。また、記憶部１１は、音楽や動画などのコンテンツが記憶されるように構成されている。
【００２６】
表示部１２は、液晶パネルを含み、記憶部１１に記憶されたプログラムに対応する画像や、記憶部１１に記憶されたコンテンツに対応する映像などを表示するように構成されている。
【００２７】
通信部１３は、所定の規格（たとえば、ＩＥＥＥ８０２．１１規格）に基づいて、無線通信が可能に構成されている。また、通信部１３は、無線ルータ３を介して、音声データなどを複数（６つ）の再生装置２（２ａ〜２ｆ）と無線通信するように構成されている。
【００２８】
音声入力部１４は、マイクロフォン（マイク）を含み、ユーザの音声を入力することが可能に構成されている。また、音声入力部１４は、入力されたユーザの音声を音声データに変換するように構成されている。
【００２９】
制御部１５は、ＣＰＵを含み、制御装置１の各構成要素を制御するように構成されている。
【００３０】
（再生装置の構成）
複数（６つ）の再生装置２（２ａ〜２ｆ）は、互いに略同様の構成であるので、以下では、再生装置２ａ〜２ｆを、再生装置２として説明する。
【００３１】
再生装置２は、通信部２１と、デコード部２２と、ミキシング部２３と、スピーカ部２４と、制御部２５とを含んでいる。
【００３２】
通信部２１は、所定の規格（たとえば、ＩＥＥＥ８０２．１１規格）に基づいて、無線通信が可能に構成されている。また、通信部２１は、無線ルータ３を介して、音声データなどを制御装置１および他の再生装置２と無線通信するように構成されている。
【００３３】
デコード部２２は、符号化された音声データを復号するように構成されている。
【００３４】
ミキシング部２３は、制御装置１からの後述する制御コマンドに基づいて、後述する音源装置からの音声データ（音源データ）と、制御装置１からの音源データ以外の音声データ（外音データ）とをミキシング（重畳）するように構成されている。制御コマンド、音源データ、外音データおよびそのミキシング処理の詳細は、後述する。
【００３５】
スピーカ部２４は、入力された音声データを再生し、音声を外部に出力するように構成されている。
【００３６】
制御部２５は、ＣＰＵを含み、再生装置２の各構成要素を制御するように構成されている。
【００３７】
（音源装置からの音声データの再生）
次に、図２および図３を参照して、再生システム１００における音源装置からの音声データ（音源データ）の再生について説明する。
【００３８】
ここで、再生システム１００は、マルチルームオーディオシステムにより構成されている。マルチルームオーディオシステムは、音声データを配信するための音源装置と、音源装置から配信される音声データを再生するための再生装置と、音源装置および再生装置の設定および制御を行うための制御装置とを備えるオーディオシステムであり、１つの音源装置から複数の部屋に配置された再生装置に音楽や動画などの音声データをネットワークで配信するオーディオシステムである。
【００３９】
この第１実施形態では、音源装置および制御装置として、制御装置１を用い、再生装置として、複数（６つ）の再生装置２（２ａ〜２ｆ）を用いる例について説明する。なお、音源装置としての制御装置１は、本発明の「音源」の一例である。
【００４０】
図２に示すように、複数（６つ）の再生装置２ａ、２ｂ、２ｃ、２ｄ、２ｅおよび２ｆは、それぞれ、居間Ｒ１、台所Ｒ２、仕事部屋Ｒ３、寝室Ｒ４、子供部屋Ｒ５および子供部屋Ｒ６に配置されている。
【００４１】
また、マルチルームオーディオシステムでは、複数の部屋に配置された複数（６つ）の再生装置２（２ａ〜２ｆ）に対して、個別に異なる音声データを配信することが可能である。また、図３に示すように、複数（６つ）の再生装置２のうち指定の再生装置２によりグループを形成するとともに、各グループに対してそれぞれ異なる音声データを配信することも可能である。
【００４２】
この第１実施形態では、再生装置２ａ、２ｂおよび２ｃの３つにより、第１グループが形成されている。また、再生装置２ｄ、２ｅおよび２ｆの３つにより、第２グループが形成されている。
【００４３】
また、グループが形成される場合には、グループを形成する複数の再生装置２（２ａ〜２ｃまたは２ｄ〜２ｆ）は、子機（スレーブ）、または、音源装置（制御装置１）からの音声データを子機に対して送信する親機（マスタ）として設定されるように構成されている。
【００４４】
具体的には、第１グループを形成する３つの再生装置２ａ〜２ｃでは、再生装置２ｂおよび２ｃが子機として設定され、音源装置からの音声データを子機としての再生装置２ｂおよび２ｃに対して送信する親機として再生装置２ａが設定されている。また、第２グループを形成する３つの再生装置２ｄ〜２ｆでは、再生装置２ｅおよび２ｆが子機として設定され、音源装置からの音声データを子機としての再生装置２ｅおよび２ｆに対して送信する親機として再生装置２ｄが設定されている。
【００４５】
第１グループにより音源装置からの音声データを再生する場合には、まず、音源装置としての制御装置１から、親機としての再生装置２ａに対して、制御装置１の記憶部１１に記憶された音楽や動画などの音声データが送信される。そして、親機としての再生装置２ａから、子機としての再生装置２ｂおよび２ｃに対して、制御装置１からの音声データが送信される。
【００４６】
これらの結果、３つの再生装置２ａ〜２ｃでは、各デコード部２２により音声データが復号され、各スピーカ部２４から音声が外部に出力される。この際には、音源装置からの音声データのみしかないため、ミキシング部２３によりミキシング再生は行われない。なお、第２グループにより音源装置からの音声データを再生する場合の動作は、第１グループの場合と略同様であるので、その説明を省略する。
【００４７】
（ミキシング再生）
次に、図４〜図７を参照して、再生システム１００における音源装置からの音声データ（音源データ）と、制御装置１の音声入力部１４に入力されたユーザの音声に対応する音声データ（外音データ）とのミキシング再生について説明する。なお、ユーザの音声に対応する音声データは、本発明の「外音データ」の一例である。
【００４８】
ここで、第１実施形態では、図４に示すように、制御装置１の制御部１５は、音声入力部１４にユーザの音声が入力され、入力されたユーザの音声に対応する音声データが取得された場合には、指定の再生装置２に対してユーザの音声に対応する音声データを含む後述する制御コマンドを送信し、指定の再生装置２により音源装置（第１実施形態では、制御装置１）からの音声データとユーザの音声に対応する音声データとをミキシングして出力（再生）させる制御を行うように構成されている。なお、図４では、全部（６つ）の再生装置２（２ａ〜２ｆ）が指定され、全部（６つ）の再生装置２（２ａ〜２ｆ）によりミキシング再生が行われる例を示している。
【００４９】
また、第１実施形態では、制御装置１の制御部１５は、複数（６つ）の再生装置２（２ａ〜２ｆ）のうち、音源装置からの音声データとユーザの音声に対応する音声データとをミキシングして再生させる再生装置２として、一部または全部の再生装置２を指定可能に構成されている。
【００５０】
<ミキシング再生処理の設定>
次に、図５を参照して、このミキシング再生処理の設定について説明する。再生システム１００に対応する所定のアプリケーションが起動され、ミキシング再生処理の設定が選択された場合には、制御装置１の制御部１５は、図５に示すように、ミキシング再生処理の設定画面３０を表示部１２に表示させるように構成されている。
【００５１】
設定画面３０は、送信タイプ、送信デバイス、ミキシング設定、音量比率設定およびリピート設定を行うための設定画面である。送信タイプでは、「個別」または「全体」を指定することができる。「個別」が指定された場合には、ユーザは、送信デバイスとして、複数（６つ）の再生装置２のうちミキシング再生を行う再生装置２をさらに指定する。また、「全体」が指定された場合には、送信デバイスとして、全部（６つ）の再生装置２が指定される。
【００５２】
ミキシング設定では、ミキシングの有無（ＯＮ／ＯＦＦ）を指定することができる。「ＯＦＦ」が指定された場合には、音量比率設定として、音源装置からの音声データの音量比率が０として、ユーザの音声に対応する音声データの音量比率が１として指定される。
【００５３】
一方、「ＯＮ」が指定された場合には、ユーザは、さらに音量比率設定を指定する。たとえば、音源装置からの音声データの音量比率（図５で、「音源音声」）を１として、ユーザの音声に対応する音声データの音量比率（図５で、「入力音声」）を２としてユーザが指定する。この場合、音源装置からの音声データの音声に対して、ユーザの音声に対応する音声データの音声が、略２倍の音量で、指定の再生装置２により出力（再生）される。
【００５４】
この際、音量の基準値は、たとえば指定の再生装置２で現在設定されている音量を基準値とすることができる。たとえば、現在設定されている音量を６０とし、音源装置からの音声データの音量比率を１とし、ユーザの音声に対応する音声データの音量比率を２とした場合には、音源装置からの音声データが３０の音量で、ユーザの音声に対応する音声データが６０の音量で指定の再生装置２によりミキシングして出力される。
【００５５】
リピート設定では、リピートの有無（ＯＮ／ＯＦＦ）を指定することができる。「ＯＮ」が指定された場合には、制御装置１からの停止コマンドがあるまでユーザの音声に対応する音声が再生装置２により繰り返して出力される。また、「ＯＦＦ」が指定された場合には、繰り返されることなく、一度だけユーザの音声に対応する音声が再生装置２により出力される。
【００５６】
以上のように、ユーザは、設定画面３０で、ミキシング再生処理の設定を行うことが可能である。このミキシング再生処理の設定は、ミキシング再生処理毎にユーザが設定するようにしてもよいし、ミキシング再生処理の前に予め設定されたものが利用されてもよい。
【００５７】
<制御コマンド>
次に、図６を参照して、上記設定画面３０において設定された設定内容を含み、ミキシング再生処理の際に、制御装置１から再生装置２に対して送信される制御コマンドについて説明する。ここでは、制御コマンドの一例として、ＵＤＰ（Ｕｓｅｒ  Ｄａｔａｇｒａｍ  Ｐｒｏｔｏｃｏｌ）を利用した制御コマンドについて説明する。なお、制御コマンドとしては、これに限られず、どのような制御コマンドが用いられてもよい。
【００５８】
図６に示すように、制御コマンドは、ＵＤＰヘッダと、ＵＤＰデータとにより構成されている。ＵＤＰヘッダは、発信元ポート番号、宛先ポート番号、データ長およびチェックサムを含んでいる。また、ＵＤＰデータは、制御コマンドヘッダと、音声データ（ユーザの音声に対応する音声データ）とにより構成されている。また、制御コマンドヘッダは、コマンド、チェックサム、データ長および識別子を含んでいる。
【００５９】
また、制御コマンド中の識別子には、図５に示す設定画面３０で設定された設定内容が含まれている。具体的には、識別子は、図７に示すように、送信タイプ、送信デバイス数、デバイス識別子、ミキシング設定、音量比率設定およびリピート設定を含んでいる。なお、図７に示す識別子は、識別子の一例であり、これに限られず、どのような識別子が用いられてもよい。
【００６０】
送信タイプは、「０」または「１」の値を有し、「０」の場合には、設定画面３０で全体が指定されたことを示し、「１」の場合には、設定画面３０で個別が指定されたことを示す。
【００６１】
また、送信デバイス数は、「Ｘ」の値を有し、送信タイプが「個別」の場合における指定対象の再生装置の数を示す。
【００６２】
また、デバイス識別子は、ＩＰ（Ｉｎｔｅｒｎｅｔ  Ｐｒｏｔｏｃｏｌ）アドレスやＭａｃ（Ｍｅｄｉａ  Ａｃｃｅｓｓ  Ｃｏｎｔｒｏｌ）アドレスなどのデバイスを識別する値を有している。
【００６３】
また、ミキシング設定は、「０」または「１」の値を有し、「０」の場合には、設定画面３０でミキシングの「ＯＮ」が指定されたことを示し、「１」の場合には、設定画面３０でミキシングの「ＯＦＦ」が指定されたことを示す。
【００６４】
また、音量比率設定は、「Ｙ」および「Ｚ」の値を有する。音量比率設定では、「Ｙ」の値は、設定画面３０で指定されたユーザの音声に対応する音声データの音量比率を示す。また、「Ｚ」の値は、設定画面３０で指定された音源装置からの音声データの音量比率を示す。
【００６５】
また、リピート設定は、「０」または「１」の値を有し、「０」の場合には、設定画面３０でリピートの「ＯＦＦ」が指定されたことを示し、「１」の場合には、設定画面３０でリピートの「ＯＮ」が指定されたことを示す。
【００６６】
そして、制御装置１の制御部１５は、図４に示すように、ミキシング再生処理を行う場合には、複数（６つ）の再生装置２（２ａ〜２ｆ）に対して、制御コマンドをマルチキャストで送信するように構成されている。この際、制御装置１の制御部１５は、複数（６つ）の再生装置２によりグループが形成されているか否かに関わらず、複数（６つ）の再生装置２（２ａ〜２ｆ）の全部に対して、制御コマンドをマルチキャストで送信するように構成されている。
【００６７】
制御コマンドを受信した再生装置２（２ａ〜２ｆ）の制御部２５は、制御コマンド中の識別子に基づいて、ユーザの音声に対応する音声データを再生するか否か、および、再生する場合には、いずれの音量で音源装置からの音声データとユーザの音声に対応する音声データとをミキシングして出力するかを判断するように構成されている。また、再生装置２（２ａ〜２ｆ）の制御部２５は、再生すると判断された場合には、ユーザの音声に対応する音声データをデコード部２２により復号し、音源装置からの音声データとユーザの音声に対応する音声データとをミキシング部２３によりミキシングし、スピーカ部２４から指定の音量でミキシングされた音声を出力する制御を行うように構成されている。
【００６８】
これにより、制御装置１の制御部１５は、ミキシングする再生装置２と、ミキシングの際の音量とを指定し、指定された再生装置２により、指定の音量で、音源装置からの音声データとユーザの音声に対応する音声データとをミキシングして出力させる制御を行うことが可能に構成されている。
【００６９】
（ミキシング再生処理の具体例）
次に、図４、図８および図９を参照して、上記したミキシング再生処理の設定の異なる３つの具体例を説明する。ここでは、全部の再生装置２でミキシング再生する場合、指定された一部の再生装置２でミキシング再生する場合、および、ユーザの音声に対応する音声データのみを再生する場合の３つの例を説明する。
【００７０】
<全部の再生装置でミキシング再生する場合>
図４では、設定画面３０で、送信タイプとして「全体」が指定され（つまり、送信デバイスとして全部（６つ）の再生装置２が指定され）、ミキシング設定として「ＯＮ」が指定され、音量比率設定として１：１（音源装置からの音声データの音量比率：ユーザの音声に対応する音声データの音量比率）が指定され、リピート設定として「ＯＦＦ」が指定された場合を示している。この場合、図４に示すように、複数（６つ）の再生装置２（２ａ〜２ｆ）の全部により、音源装置からの音声データとユーザの音声に対応する音声データとがミキシングして再生される。この際、音源装置からの音声データとユーザの音声に対応する音声データとが略同じ音量で再生される。この設定は、家族全員に呼びかけを行いたい場合などに有効である。
【００７１】
<指定された一部の再生装置でミキシング再生する場合>
図８では、設定画面３０で、送信タイプとして「個別」が指定され、送信デバイスとして再生装置２ｅおよび２ｆの２つ再生装置２が指定され、ミキシング設定として「ＯＮ」が指定され、音量比率設定として１：２（音源装置からの音声データの音量比率：ユーザの音声に対応する音声データの音量比率）が指定され、リピート設定として「ＯＦＦ」が指定された場合を示している。この場合、図８に示すように、複数（６つ）の再生装置２（２ａ〜２ｆ）のうち指定された再生装置２ｅおよび２ｆの２つにより、音源装置からの音声データとユーザの音声に対応する音声データとがミキシングして再生される。この際、音源装置からの音声データの音量に対して、ユーザの音声に対応する音声データの音量が、略２倍の音量で再生される。この設定は、家族のうち特定の人物（たとえば、子供のみ）に呼びかけを行いたい場合などに有効である。
【００７２】
<ユーザの音声に対応する音声データのみ再生する場合>
図９では、設定画面３０で、送信タイプとして「全体」が指定され（つまり、送信デバイスとして全部（６つ）の再生装置２が指定され）、ミキシング設定として「ＯＦＦ」が指定され（つまり、音量比率設定として０：１（音源装置からの音声データの音量比率：ユーザの音声に対応する音声データの音量比率）が指定され）、リピート設定として「ＯＦＦ」が指定された場合を示している。この場合、図９に示すように、複数（６つ）の再生装置２（２ａ〜２ｆ）の全部により、音源装置からの音声データとユーザの音声に対応する音声データとがミキシングして再生される。この際、音源装置からの音声データはミュート（音量＝０）で再生され、ユーザの音声に対応する音声データの音声のみが外部に出力される。この設定は、緊急の連絡や絶対に聴いてもらいたい連絡を行いたい場合などに有効である。
【００７３】
（ミキシング再生処理）
次に、図１０を参照して、再生システム１００におけるミキシング再生処理をシーケンス図に基づいて説明する。制御装置１の動作は、制御部１５により行われ、再生装置２の動作は、制御部２５により行われる。
【００７４】
図１０に示すように、制御装置１を用いて、再生システム１００に対応する所定のアプリケーションが起動され、音源装置（制御装置１）の音声データを再生する操作がユーザにより行われると、まず、ステップＳ１において、制御装置１から親機としての再生装置２に対して、再生要求が送信される。
【００７５】
この結果、ステップＳ２において、親機としての再生装置２から音源装置としての制御装置１に対して、音源装置からの音声データ（音源データ）を要求する音声データ要求が送信される。そして、ステップＳ３において、音源装置から親機としての再生装置２に対して、音声データが送信される。これにより、親機としての再生装置２により音源装置からの音声データが取得される。
【００７６】
そして、ステップＳ４において、親機としての再生装置２から子機としての再生装置２に対して、ステップＳ３で取得された音声データが送信される。その後、ステップＳ５において、親機としての再生装置２から子機としての再生装置２に対して、同期信号が送信され、親機としての再生装置２および子機としての再生装置２により音源装置からの音声データが再生され、音声が出力される。
【００７７】
一方、ステップＳ６において、所定のアプリーケーション上で、ユーザの音声をミキシングするための操作がユーザにより行われた後、制御装置１の音声入力部１４にユーザの音声が入力されると、制御装置１によりユーザの音声が受付される。そして、ステップＳ７において、ユーザの音声に対応する音声データが生成される。
【００７８】
そして、ステップＳ８において、制御装置１から複数（６つ）の再生装置２に対して、識別子やユーザの音声に対応する音声データを含む制御コマンドがマルチキャストで送信される。この結果、ステップＳ９において、複数（６つ）の再生装置２の各々により、識別子に基づいてユーザの音声に対応する音声データを再生するか否かが判断される。そして、再生すると判断された場合には、現在再生中の音源装置からの音声データと、ユーザの音声に対応する音声データとが再生装置２によりミキシング再生される。この際、識別子により指定された音量で、音源装置からの音声データと、ユーザの音声に対応する音声データとが再生装置２により再生される。その後、ユーザの音声に対応する音声データの再生が終了すると、ミキシング再生も終了する。
【００７９】
（第１実施形態の効果）
第１実施形態では、以下のような効果を得ることができる。
【００８０】
第１実施形態では、上記のように、音源データ（音源装置（制御装置１）からの音声データ）以外の外音データ（ユーザの音声に対応する音声データ）が取得された場合には、再生装置２を指定して、指定された再生装置２により音源データと外音データとをミキシングして再生させるための制御コマンドを再生装置２に送信する制御を行うように制御部１５を構成する。そして、指定された再生装置２では、音源データと外音データとをミキシング部２３によりミキシングし、ミキシングした音声をスピーカ部２４から出力するように構成する。これにより、音源装置からの音源データ加えて、外部からの音に対応する外音データを再生装置２により再生させることができる。その結果、再生装置から外音（ユーザの音声）を出力させることができるので、音源からの音声データの再生中にも、音源からの音声以外の外音（ユーザの音声）を聴き取り易くすることができる。
【００８１】
また、第１実施形態では、上記のように、複数の再生装置２のうち、音源データと外音データとをミキシングして再生させる再生装置２として、一部または全部の再生装置２を指定可能であるとともに、指定された再生装置２により音源データと外音データとをミキシングして再生させるための制御コマンドを再生装置２に送信する制御を行うように制御部１５を構成する。これにより、制御装置１を使用するユーザが一部の再生装置２から外音の出力を所望する場合（図８に示す場合）には、一部の再生装置２から外音を出力させることができるとともに、制御装置１を使用するユーザが全部の再生装置２から外音の出力を所望する場合（図４および図９に示す場合）には、全部の再生装置２から外音を出力させることができる。その結果、再生装置２を使用するユーザの状況に応じて、任意の再生装置２から外音を出力させることができる。
【００８２】
また、第１実施形態では、上記のように、音源データの音量と、外音データの音量とを指定するとともに、指定された音量で、再生装置２により音源データと外音データとをミキシングして再生させるための制御コマンドを再生装置２に送信する制御を行うように制御部１５を構成する。これにより、音源データの音量よりも、外音データの音量が大きくなるように指定した場合に、音源からの音声の再生中に、音源からの音声以外の外音をより聴き取り易くすることができる。
【００８３】
また、第１実施形態では、上記のように、複数の再生装置２に対して、制御コマンドをマルチキャストで送信するように制御部１５を構成する。これにより、複数の再生装置２に対して外音データを個別に複数分送信する場合と比べて、外音データの送信に係る通信が混雑するのを抑制することができる。また、複数の再生装置２に対して同時に外音データを含む制御コマンドを送信することができるので、複数の再生装置２の各々から外音が出力されるタイミングにずれが生じるのを抑制することができる。
【００８４】
また、第１実施形態では、上記のように、ユーザの音声を入力可能な音声入力部１４を設ける。そして、音声入力部に入力されたユーザの音声に対応する音声データを、外音データとして取得するように制御部１５を構成する。これにより、ユーザが任意のメッセージ（ユーザの音声）を音声入力部１４に入力することができる。その結果、再生装置２を使用するユーザの状況に合わせて、適切なメッセージを再生装置２から出力させることができる。
【００８５】
[第２実施形態]
次に、図１、図５および図１１を参照して、第２実施形態について説明する。この第２実施形態では、外部からの音に対応する外音データとしてユーザの音声に対応する音声データを用いた上記第１実施形態の構成に加えて、さらに外部からの音に対応する外音データとして制御装置１０１の着信音に対応する音声データを用いる例について説明する。
【００８６】
（再生システムの構成）
本発明の第２実施形態による再生システム２００は、図１に示すように、制御装置１０１を備える点で、上記第１実施形態の再生システム１００とは相違する。また、制御装置１０１は、通信部１１３と、制御部１１５とを含む点で、上記第１実施形態の制御装置１とは相違する。なお、上記第１実施形態と同一の構成については、同じ符号を付してその説明を省略する。
【００８７】
（ミキシング再生）
第２実施形態では、制御装置１０１の通信部１１３は、無線通信可能に構成されることに加えて、電話や、メールなどの通信機能も有している。また、制御装置１０１の制御部１１５は、電話やメールなどの着信の際、着信音に対応する音声データ（外音データ）を取得するように構成されている。また、制御装置１０１の制御部１１５は、取得された着信音に対応する音声データおよび図５に示す設定画面３０において予め行われた着信音のミキシング再生処理の設定内容の識別子を含む制御コマンドを、再生装置２に対してマルチキャストで送信するように構成されている。なお、着信音に対応する音声データは、本発明の「外音データ」の一例である。
【００８８】
これにより、第２実施形態では、制御装置１０１の制御部１１５は、指定の再生装置２により音源装置からの音声データと着信音に対応する音声データとをミキシングして再生させる制御を行うように構成されている。なお、制御装置１０１の制御部１１５のその他の構成は、上記第１実施形態の制御部１５の構成と略同様である。
【００８９】
（ミキシング再生処理の具体例）
次に、図１１を参照して、制御装置１０１に着信がある場合のミキシング再生処理の具体例の１つを説明する。ここでは、制御装置１０１に電話の着信がある場合について説明する。
【００９０】
図１１では、設定画面３０で、送信タイプとして「個別」が指定され、送信デバイスとして再生装置２ａのみが指定され、ミキシング設定として「ＯＮ」が指定され、音量比率設定として１：１（音源装置からの音声データの音量比率：ユーザの音声に対応する音声データの音量比率）が指定され、リピート設定として「ＯＮ」が指定された場合を示している。この場合、図１１に示すように、制御装置１０１に電話の着信があると、複数（６つ）の再生装置２（２ａ〜２ｆ）のうち指定された再生装置２ａにより、音源装置からの音声データと着信音に対応する音声データとがミキシングして再生される。この際、音源装置からの音声データとユーザの音声に対応する音声データとが略同じ音量で再生される。また、リピート設定として「ＯＮ」が指定されているので、ユーザが電話に応答した時やユーザが電話に応答することなく着信が切断した時などに、制御装置１０１から指定の再生装置２ａに対して停止コマンドが送信されるまでは、着信音に対応する音声データがリピートして再生される。
【００９１】
なお、第２実施形態のその他の構成は、上記第１実施形態と同様である。
【００９２】
（第２実施形態の効果）
第２実施形態では、以下のような効果を得ることができる。
【００９３】
第２実施形態では、上記のように、音源データ（音源装置（制御装置１０１）からの音声データ）以外の外音データ（ユーザの音声に対応する音声データまたは着信音）が取得された場合には、再生装置２を指定して、指定された再生装置２により音源データと外音データとをミキシングして再生させる制御を行うように制御部１１５を構成する。これにより、上記第１実施形態と同様に、音源からの音声データの再生中にも、音源からの音声以外の外音（ユーザの音声または着信音）を聴き取り易くすることができる。
【００９４】
また、第２実施形態では、上記のように、外音データとして、着信の際の着信音に対応する音声データを用いる。これにより、制御装置１０１に電話やメールなどの着信がある場合に、音源データの音声に加えて、着信音を再生装置２から出力させることができる。その結果、電話やメールなどの着信をユーザに容易に気付かせることができる。
【００９５】
なお、第２実施形態のその他の効果は、上記第１実施形態と同様である。
【００９６】
[第３実施形態]
次に、図１２および図１３を参照して、第３実施形態について説明する。この第３実施形態では、音源装置および制御装置として制御装置１を用いた上記第１実施形態とは異なり、音源装置として音源装置２０４を用い、制御装置として制御装置１を用いる例について説明する。なお、音源装置２０４は、本発明の「音源」の一例である。
【００９７】
（再生システムの構成）
本発明の第３実施形態による再生システム３００は、図１２に示すように、音源装置２０４をさらに備える点で、上記第１実施形態の再生システム１００とは相違する。なお、上記第１実施形態と同一の構成については、同じ符号を付してその説明を省略する。
【００９８】
音源装置２０４は、スマートフォン（多機能携帯電話）や、タブレットＰＣ、ＮＡＳ（Ｎｅｔｗｏｒｋ  Ａｔｔａｃｈｅｄ  Ｓｔｏｒａｇｅ）、インターネットを介して接続される外部のサーバなど、音楽や動画などのコンテンツが記憶された記憶装置である。
【００９９】
再生システム３００では、制御装置１、複数（６つ）の再生装置２および音源装置２０４は、制御装置１、複数（６つ）の再生装置２および音源装置２０４を含むネットワーク上で、無線ルータ３を介して、互いに無線で接続されている。これにより、制御装置１、複数（６つ）の再生装置２および音源装置２０４は、ネットワーク内で、互いに無線通信可能に構成されている。
【０１００】
（音源装置の構成）
音源装置２０４は、通信部２４１と、コンテンツ記憶部２４２と、制御部２４３とを含んでいる。
【０１０１】
通信部２４１は、所定の規格（たとえば、ＩＥＥＥ８０２．１１規格）に基づいて、無線通信が可能に構成されている。また、通信部２４１は、無線ルータ３を介して、コンテンツの音声データなどを制御装置１および複数（６つ）の再生装置２（２ａ〜２ｆ）と無線通信するように構成されている。
【０１０２】
コンテンツ記憶部２４２は、ＨＤＤ（ハードディスクドライブ）を含み、音楽や動画などのコンテンツが記憶されるように構成されている。
【０１０３】
制御部２４３は、ＣＰＵを含み、音源装置２０４の各構成要素を制御するように構成されている。
【０１０４】
（ミキシング再生処理）
次に、図１３を参照して、再生システム３００におけるミキシング再生処理をシーケンス図に基づいて説明する。この第３実施形態では、音源装置２０４から再生装置２に対して音声データが送信される点で、上記第１実施形態のミキシング再生処理とは異なる。なお、制御装置１の動作は、制御部１５により行われ、再生装置２の動作は、制御部２５により行われ、音源装置２０４の動作は、制御部２４３により行われる。また、図１０に示した上記第１実施形態と同一の処理については、同じ符号を付してその説明を省略する。
【０１０５】
図１３に示すように、制御装置１を用いて、再生システム３００に対応する所定のアプリケーションが起動され、音源装置２０４の音声データを再生する操作がユーザにより行われると、まず、ステップＳ１において、制御装置１から親機としての再生装置２に対して、再生要求が送信される。
【０１０６】
この結果、ステップＳ２ａにおいて、親機としての再生装置２から音源装置２０４に対して、音源装置２０４からの音声データ（音源データ）を要求する音声データ要求が送信される。そして、ステップＳ３ａにおいて、音源装置２０４から親機としての再生装置２に対して、音声データが送信される。これにより、親機としての再生装置２により音源装置からの音声データが取得される。
【０１０７】
その後、ステップＳ４〜ステップＳ９の処理が上記第１実施形態と同様に行われる。この結果、第３実施形態では、現在再生中の音源装置２０４からの音声データと、ユーザの音声に対応する音声データとが再生装置２によりミキシング再生される。
【０１０８】
なお、第３実施形態のその他の構成は、上記第１実施形態と同様である。
【０１０９】
（第３実施形態の効果）
第３実施形態では、以下のような効果を得ることができる。
【０１１０】
第３実施形態では、上記のように、音源データ（音源装置２０４からの音声データ）以外の外音データ（ユーザの音声に対応する音声データ）が取得された場合には、再生装置２を指定して、指定された再生装置２により音源データと外音データとをミキシングして再生させる制御を行うように制御部１５を構成する。これにより、上記第１実施形態と同様に、音源からの音声データの再生中にも、音源からの音声以外の外音（ユーザの音声）を聴き取り易くすることができる。
【０１１１】
また、第３実施形態では、上記のように、音声データを提供する音源装置２０４を再生システム３００に設ける。これにより、制御装置１のみを音源装置として用いる場合に比べて、制御装置１とは別個の音源装置２０４のコンテンツを利用することができるので、より多くのコンテンツを鑑賞することができる。
【０１１２】
なお、第３実施形態のその他の効果は、上記第１実施形態と同様である。
【０１１３】
（変形例）
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更（変形例）が含まれる。
【０１１４】
たとえば、上記第１〜第３実施形態では、６つの再生装置２（２ａ〜２ｆ）を用いた例を示したが、本発明はこれに限られない。本発明では、６つ以外の数の再生装置を用いてもよい。
【０１１５】
また、上記第１および第３実施形態では、ユーザの音声に対応する音声データをマルチキャストで、複数（６つ）の再生装置２の全体に対して送信した例を示し、上記第２実施形態では、着信音に対応する音声データをマルチキャストで、複数（６つ）の再生装置２の全体に対して送信した例を示したが、本発明はこれに限られない。本発明では、ユーザの音声に対応する音声データや着信音に対応する音声データをユニキャストで、再生装置に対して個別に送信してもよい。
【０１１６】
また、上記第１〜第３実施形態では、設定画面３０（図５参照）で、音量比率設定を行った例を示したが、本発明はこれに限られない。本発明では、設定画面で音量比率設定を行うことなく、予め設定された音量比率で、再生装置によりミキシングを行わせてもよい。
【０１１７】
また、上記第１および第３実施形態では、説明の便宜上、本発明の再生システム１００（３００）の処理を処理フローに沿って順番に処理を行うフロー駆動型のフローチャートを用いて説明したが、本発明はこれに限られない。本発明では、再生システム１００（３００）の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１１８】
１、１０１  制御装置（音源）
２、２ａ〜２ｆ  再生装置
１３  通信部
１５、１１５  制御部
１４  音声入力部
２１  通信部
２３  ミキシング部
２４  スピーカ部
２０４  音源装置（音源）
【図１】
2017005377.tif 000003
【図２】
2017005377.tif 000004
【図３】
2017005377.tif 000005
【図４】
2017005377.tif 000006
【図５】
2017005377.tif 000007
【図６】
2017005377.tif 000008
【図７】
2017005377.tif 000009
【図８】
2017005377.tif 000010
【図９】
2017005377.tif 000011
【図１０】
2017005377.tif 000012
【図１１】
2017005377.tif 000013
【図１２】
2017005377.tif 000014
【図１３】
2017005377.tif 000015